(57)【特許請求の範囲】
【請求項１】
３つの通過帯域を順次巡回的に切り替えて該各通過帯域の周波数信号を時分割的に出力するスイッチドキャパシタ型のバンドパスフィルタ回路と、該バンドパスフィルタ回路の各通過帯域の周波数信号のピーク値を検出して順次巡回的に保持するピークホールド回路とを有する信号スペクトラム計測装置において、
前記バンドパスフィルタ回路と前記ピークホールド回路の組を同一回路定数の構成で２組設けて、前記両バンドパスフィルタ回路に同一の信号を入力させ、一方のバンドパスフィルタ回路の動作クロックの周波数を他方のバンドパスフィルタ回路の動作クロックの周波数の約０．３倍とし、前記両ピークホールド回路から得られる信号をスペクトラム信号としたことを特徴とする信号スペクトラム計測装置。
【請求項２】
前記他方のバンドパスフィルタ回路の順次巡回的に切り替える３つの通過周波数をｆ１〜ｆ３とするとき、その周波数ｆ１〜ｆ３の関係を、
ｆｎ≒１０n-1 ・ｆ１  （但し、ｎ＝１〜３）
に設定したことを特徴とする請求項１に記載の信号スペクトラム計測装置。
【請求項３】
４つの通過帯域を順次巡回的に切り替えて該各通過帯域の周波数信号を時分割的に出力するスイッチドキャパシタ型のバンドパスフィルタ回路と、該バンドパスフィルタ回路の各通過帯域の周波数信号のピーク値を検出して順次巡回的に保持するピークホールド回路とを有する信号スペクトラム計測装置において、
前記バンドパスフィルタ回路と前記ピークホールド回路の組を同一回路定数の構成で２組設けて、前記両バンドパスフィルタ回路に同一の信号を入力させ、一方のバンドパスフィルタ回路の動作クロックの周波数を他方のバンドパスフィルタ回路の動作クロックの周波数の約０．４倍とし、前記両ピークホールド回路から得られる信号をスペクトラム信号としたことを特徴とする信号スペクトラム計測装置。
【請求項４】
前記他方のバンドパスフィルタ回路の順次巡回的に切り替える４つの通過周波数をｆ１〜ｆ４とするとき、その周波数ｆ１〜ｆ４の関係を、
ｆｎ≒５n-1 ・ｆ１  （但し、ｎ＝１〜４）
に設定したことを特徴とする請求項３に記載の信号スペクトラム計測装置。
【請求項５】
５つの通過帯域を順次巡回的に切り替えて該各通過帯域の周波数信号を時分割的に出力するスイッチドキャパシタ型のバンドパスフィルタ回路と、該バンドパスフィルタ回路の各通過帯域の周波数信号のピーク値を検出して順次巡回的に保持するピークホールド回路とを有する信号スペクトラム計測装置において、
前記バンドパスフィルタ回路と前記ピークホールド回路の組を同一回路定数の構成で２組設けて、前記両バンドパスフィルタ回路に同一の信号を入力させ、一方のバンドパスフィルタ回路の動作クロックの周波数を他方のバンドパスフィルタ回路の動作クロックの周波数の約０．５倍とし、前記両ピークホールド回路から得られる信号をスペクトラム信号としたことを特徴とする信号スペクトラム計測装置。
【請求項６】
前記他方のバンドパスフィルタ回路の順次巡回的に切り替える５つの通過周波数をｆ１〜ｆ５とするとき、その周波数ｆ１〜ｆ５の関係を、
ｆｎ≒４n-1 ・ｆ１  （但し、ｎ＝１〜５）
に設定したことを特徴とする請求項５に記載の信号スペクトラム計測装置。
【請求項７】
６つの通過帯域を順次巡回的に切り替えて該各通過帯域の周波数信号を時分割的に出力するスイッチドキャパシタ型のバンドパスフィルタ回路と、該バンドパスフィルタ回路の各通過帯域の周波数信号のピーク値を検出して順次巡回的に保持するピークホールド回路とを有する信号スペクトラム計測装置において、
前記バンドパスフィルタ回路と前記ピークホールド回路の組を同一回路定数の構成で２組設けて、前記両バンドパスフィルタ回路に同一の信号を入力させ、一方のバンドパスフィルタ回路の動作クロックの周波数を他方のバンドパスフィルタ回路の動作クロックの周波数の約０．６倍とし、前記両ピークホールド回路から得られる信号をスペクトラム信号としたことを特徴とする信号スペクトラム計測装置。
【請求項８】
前記他方のバンドパスフィルタ回路の順次巡回的に切り替える６つの通過周波数をｆ１〜ｆ６とするとき、その周波数ｆ１〜ｆ６の関係を、
ｆｎ≒３n-1 ・ｆ１  （但し、ｎ＝１〜６）
に設定したことを特徴とする請求項７に記載の信号スペクトラム計測装置。
【請求項９】
７つの通過帯域を順次巡回的に切り替えて該各通過帯域の周波数信号を時分割的に出力するスイッチドキャパシタ型のバンドパスフィルタ回路と、該バンドパスフィルタ回路の各通過帯域の周波数信号のピーク値を検出して順次巡回的に保持するピークホールド回路とを有する信号スペクトラム計測装置において、
前記バンドパスフィルタ回路と前記ピークホールド回路の組を同一回路定数の構成で２組設けて、前記両バンドパスフィルタ回路に同一の信号を入力させ、一方のバンドパスフィルタ回路の動作クロックの周波数を他方のバンドパスフィルタ回路の動作クロックの周波数の約２／３倍とし、前記両ピークホールド回路から得られる信号をスペクトラム信号としたことを特徴とする信号スペクトラム計測装置。
【請求項１０】
前記他方のバンドパスフィルタ回路の順次巡回的に切り替える７つの通過周波数をｆ１〜ｆ７とするとき、その周波数ｆ１〜ｆ７の関係を、
ｆｎ≒（５／２）n-1 ・ｆ１  （但し、ｎ＝１〜７）
に設定したことを特徴とする請求項９に記載の信号スペクトラム計測装置。
【発明の詳細な説明】
【０００１】
【発明の属する技術分野】
本発明は、複数の通過帯域の周波数スペクトル成分を時分割的に得ることができるようにしたバンドパスフィルタ回路を利用した信号スペクトラム計測装置に係り、特にその計測時間の短縮化と計測の高精度化の両方を追及した技術に関するものである。
【０００２】
【従来の技術】
例えば、音声信号の複数の離散的な周波数の個々の信号レベルを検出し表示する装置としてスペクトラム計測表示装置がある。これは、図２１に示すように、入力する音声信号を、通過周波数が巡回的に逐次高速で切り替わるように制御されるスイッチドキャパシタ型のバンドパスフィルタ回路１に取り込み、ピークホールド回路２でその通過周波数信号のピーク値を逐次検出して保持し、これを制御部３によりデジタル信号に変換し、表示ドライバ４により液晶表示装置５を駆動し、そこに音声信号の周波数スペクトルを表示するものである。ここで、バンドパスフィルタ回路１、ピークホールド回路２、および制御部３が信号スペクトラム計測装置６を構成している。
【０００３】
スイッチドキャパシタ型バンドパスフィルタ回路１は、図２２に示すように構成されている。ＯＰ１は積分器として機能する演算増幅器であって、その出力端子と反転入力端子との間に、ｎ個の帰還コンデンサＣ１１〜Ｃ１ｎのいずれか１つが選択的に接続される。このコンデンサの選択は、ｎ対のアナログスイッチＸ１１、Ｘ１２、・・・・、Ｘ１ｎのうちのいずれか一対のスイッチがスイッチ信号Ｍ１〜Ｍｎに制御されてオンすることにより行われる。このコンデンサＣ１１〜Ｃ１ｎにより積分定数が決定される。
【０００４】
ＯＰ２も同様の演算増幅器であって、その出力端子と反転入力端子との間に、ｎ個の帰還コンデンサＣ２１〜Ｃ２ｎのいずれか１つが選択的に接続される。このコンデンサの選択は、ｎ対のアナログスイッチＸ２１、Ｘ２２、・・・・・、Ｘ２ｎのうちのいずれか一対のスイッチがスイッチ信号Ｍ１〜Ｍｎに制御されてオンすることにより行われる。ここでも、コンデンサＣ２１〜Ｃ２ｎにより積分定数が決定される。
【０００５】
アナログスイッチＳ１〜Ｓ４とコンデンサＣｂからなる回路、アナログスイッチＳ５〜Ｓ８とコンデンサＣ３からなる回路、アナログスイッチＸＳ９〜Ｓ１４とコンデンサＣａ、Ｃｉからなる回路は、各々スイッチドキャパシタ回路を構成し、動作クロックφ１、φ２で駆動されることにより等価抵抗として機能する。クロックφ１は、それらスイッチＳ１〜Ｓ１４の奇数番目のスイッチ（Ｓ１、Ｓ３、Ｓ５、Ｓ７、Ｓ９、Ｓ１１、Ｓ１３）を駆動し、クロックφ２は偶数番目のスイッチ（Ｓ２、Ｓ４、Ｓ６、Ｓ８、Ｓ１０、Ｓ１２、Ｓ１４）を駆動する。
【０００６】
これらクロックφ１、φ２は、図２５に示すように、相互に位相が反転した同一周波数の２相クロックであり、入力音声信号の２倍以上の例えば、５０ＫＨｚ〜１００ＫＨｚの周波数に設定され、一方がアクティブ（「Ｈ」でスイッチをオンさせる）のとき他方が完全に非アクティブ（「Ｌ」でスイッチをオフさせる）となるようにデューティが設定されている。つまりクロックφ１、φ２は同時にはアクティブとはならない。
【０００７】
このバンドパスフィルタ回路１では、図２６に示すように、ｎ個のスイッチ信号Ｍ１〜Ｍｎが入力し、スイッチ信号Ｍ１のみが一定期間アクティブとなることによりコンデンサＣ１１とＣ２１が選択的に同時に接続され、次にスイッチ信号Ｍ２のみがアクティブになることによりコンデンサＣ１２とＣ２２が選択的に同時に接続され、・・・・・、次にスイッチ信号ＭｎのみがアクティブになることによりコンデンサＣ１ｎとＣ２ｎが選択的に同時に接続され、次にスイッチ信号Ｍ１のみがアクティブになることによりコンデンサＣ１１とＣ２１が選択的に同時に接続されるというように、逐次巡回的に積分用のコンデンサが切り替えられて、一巡当り演算増幅器ＯＰ１、ＯＰ２の積分定数の切り替えがｎ回行われ、これによりｎ個の通過周波数が切り替えられる。
【０００８】
すなわち、単位時間内にｎ個の通過帯域が時分割的に設定されるバンドパスフィルタ回路が実現される。このバンドパスフィルタ回路１の通過帯域の中心周波数ｆｏは、次の式（１）により決定される。ｆｃは動作クロックφ１、φ２の周波数である。
ｆｏ＝（ｆｃ／２π）・｛（Ｃａ・Ｃｂ）／（Ｃ１ｎ・Ｃ２ｎ）｝1/2 ・・・・（１）
【０００９】
図２３はピークホールド回路２の回路構成を示す図であり、演算増幅器ＯＰ３とその出力側に接続されたｐＭＯＳトランジスタＭＰ１、抵抗Ｒ１、Ｒ２、ホールド用コンデンサＣｐ、リセット用のｎＭＯＳトランジスタＭＮ１、ボルテージホロワとして機能する演算増幅器ＯＰ４から構成されている。演算増幅器ＯＰ３とトランジスタＭＰ１の組み合せもボルテージホロワを構成する。
【００１０】
このピークホールド回路２では、図２２に示したバンドパスフィルタ回路１の通過帯域切り替えのタイミング（スイッチ信号Ｍ１〜Ｍｎの切り替えタイミング）に発生するリセット信号ＲＳＴ（図２６参照）により、トランジスタＭＮ１を一時的に導通させることにより、それまでに蓄積されたコンデンサＣｐの電荷が放電される。この後、バンドパスフィルタ回路１の出力信号が入力して演算増幅器ＰＯ３の反転入力端子（ＩＮ）の電圧が上昇すると、その電圧に対応して出力電圧が低下し、トランジスタＭＰ１の導通度が高くなり、コンデンサＣｐへの電荷充電が加速度的に行われることにより、そのコンデンサＣｐに前記反転入力端子に印加する電圧に対応した電圧が発生する。そして、コンデンサＣｐの電圧レベルがその反転入力端子に印加する電圧のレベルよりも高くなると、演算増幅器ＯＰ３の出力電圧が高くなる方向に変化するので、トランジスタＭＰ１の導通度が低下してコンデンサＣｐへの充電電流が少なくなる。かくして、コンデンサＣｐには、反転入力端子に入力する電圧のピーク値に相当する電圧が充電され、リセットされるまでホールドされることになる。抵抗Ｒ１、Ｒ２はコンデンサＣｐへの充電電流のオーバーシュート防止用である。
【００１１】
図２４は制御部３の内部構成を示すブロック図である。３０１はＡ／Ｄ変換器で、ピークホールド回路２から出力するピークホールド信号をデジタル信号に変換する。３０２はマイクロコンピュータからなる制御部であって、Ａ／Ｄ変換器３０１で得られたデジタル信号を取り込んで表示のためのデータに変換する処理や、前記したバンドパスフィルタ回路１用のスイッチ信号Ｍ１〜Ｍｎ、動作クロックφ１、φ２、ピークホールド回路２のリセット信号ＲＳＴ等を発生する。
【００１２】
【発明が解決しようとする課題】
以上のように、従来のスイッチドキャパシタ型のバンドパスフィルタ回路１では、その通過周波数の数ｎは、演算増幅器ＯＰ１、ＯＰ２に接続されるコンデンサの数で決り、例えば５帯域の場合はｎ＝５となり、演算増幅器ＯＰ１では５個のコンデンサＣ１１〜Ｃ１５が巡回的に切り替えられ、演算増幅器ＯＰ２では５個のコンデンサＣ２１〜Ｃ２５が巡回的に切り替えられることとなる。
【００１３】
ところで、バンドパスフィルタ回路１によって通過周波数の信号レベル検出を行うためには、最低でも当該周波数の信号の１周期分の計測期間が必要であり、低域ほど長い計測時間が必要となる。しかも、１つの装置で計測する通過周波数の数が多くなれば、それだけ演算増幅器ＯＰ１、ＯＰ２に切替接続されるコンデンサの数が多くなり、全部の通過周波数の信号計測のための計測時間（サイクル）は相当長くなる。
【００１４】
例えば、図２７に示すように、１つの計測装置で５個（ｎ＝５）の通過周波数の信号レベルの計測を行うときの計測時間（但し、各周波数の計測時間を同じとする）をＴとすると、２倍の１０個の（ｎ＝１０）の通過周波数の信号レベルを計測するためには、その信号計測時間を２倍の２Ｔと長くする必要がある。このため、計測サイクルが長くなって、個々の通過周波数のスペクトルが同時的に表示されるのではなく順次的に表示される状態に近くなり、スペクトラム表示が不自然なものとなる。しかし、この計測時間を短くすると、低域の信号を正確に計測できないという問題が起こる。
【００１５】
本発明は以上のような点に鑑みてなされたものであり、その目的は、信号レベルを計測すべき通過周波数の数を増加させた際でも全周波数の計測に必要な時間が短くでき、しかも低域であっても正確な計測ができるようにした信号スペクトラム計測装置を提供することである。
【００１６】
【課題を解決するための手段】
第１の発明は、３つの通過帯域を順次巡回的に切り替えて該各通過帯域の周波数信号を時分割的に出力するスイッチドキャパシタ型のバンドパスフィルタ回路と、該バンドパスフィルタ回路の各通過帯域の周波数信号のピーク値を検出して順次巡回的に保持するピークホールド回路とを有する信号スペクトラム計測装置において、前記バンドパスフィルタ回路と前記ピークホールド回路の組を同一回路定数の構成で２組設けて、前記両バンドパスフィルタ回路に同一の信号を入力させ、一方のバンドパスフィルタ回路の動作クロックの周波数を他方のバンドパスフィルタ回路の動作クロックの周波数の約０．３倍とし、前記両ピークホールド回路から得られる信号をスペクトラム信号とするよう構成した。
【００１７】
第２の発明は、第１の発明において、前記他方のバンドパスフィルタ回路の順次巡回的に切り替える３つの通過周波数をｆ１〜ｆ３とするとき、その周波数ｆ１〜ｆ３の関係を、
ｆｎ≒１０n-1 ・ｆ１  （但し、ｎ＝１〜３）
に設定して構成した。
【００１８】
第３の発明は、４つの通過帯域を順次巡回的に切り替えて該各通過帯域の周波数信号を時分割的に出力するスイッチドキャパシタ型のバンドパスフィルタ回路と、該バンドパスフィルタ回路の各通過帯域の周波数信号のピーク値を検出して順次巡回的に保持するピークホールド回路とを有する信号スペクトラム計測装置において、前記バンドパスフィルタ回路と前記ピークホールド回路の組を同一回路定数の構成で２組設けて、前記両バンドパスフィルタ回路に同一の信号を入力させ、一方のバンドパスフィルタ回路の動作クロックの周波数を他方のバンドパスフィルタ回路の動作クロックの周波数の約０．４倍とし、前記両ピークホールド回路から得られる信号をスペクトラム信号とするよう構成した。
【００１９】
第４の発明は、第３の発明において、前記他方のバンドパスフィルタ回路の順次巡回的に切り替える４つの通過周波数をｆ１〜ｆ４とするとき、その周波数ｆ１〜ｆ４の関係を、
ｆｎ≒５n-1 ・ｆ１  （但し、ｎ＝１〜４）
に設定して構成した。
【００２０】
第５の発明は、５つの通過帯域を順次巡回的に切り替えて該各通過帯域の周波数信号を時分割的に出力するスイッチドキャパシタ型のバンドパスフィルタ回路と、該バンドパスフィルタ回路の各通過帯域の周波数信号のピーク値を検出して順次巡回的に保持するピークホールド回路とを有する信号スペクトラム計測装置において、前記バンドパスフィルタ回路と前記ピークホールド回路の組を同一回路定数の構成で２組設けて、前記両バンドパスフィルタ回路に同一の信号を入力させ、一方のバンドパスフィルタ回路の動作クロックの周波数を他方のバンドパスフィルタ回路の動作クロックの周波数の約０．５倍とし、前記両ピークホールド回路から得られる信号をスペクトラム信号とするよう構成した。
【００２１】
第６の発明は、第５の発明において、前記他方のバンドパスフィルタ回路の順次巡回的に切り替える５つの通過周波数をｆ１〜ｆ５とするとき、その周波数ｆ１〜ｆ５の関係を、
ｆｎ≒４n-1 ・ｆ１  （但し、ｎ＝１〜５）
に設定して構成した。
【００２２】
第７の発明は、６つの通過帯域を順次巡回的に切り替えて該各通過帯域の周波数信号を時分割的に出力するスイッチドキャパシタ型のバンドパスフィルタ回路と、該バンドパスフィルタ回路の各通過帯域の周波数信号のピーク値を検出して順次巡回的に保持するピークホールド回路とを有する信号スペクトラム計測装置において、前記バンドパスフィルタ回路と前記ピークホールド回路の組を同一回路定数の構成で２組設けて、前記両バンドパスフィルタ回路に同一の信号を入力させ、一方のバンドパスフィルタ回路の動作クロックの周波数を他方のバンドパスフィルタ回路の動作クロックの周波数の約０．６倍とし、前記両ピークホールド回路から得られる信号をスペクトラム信号とするよう構成した。
【００２３】
第８の発明は、第７の発明において、前記他方のバンドパスフィルタ回路の順次巡回的に切り替える６つの通過周波数をｆ１〜ｆ６とするとき、その周波数ｆ１〜ｆ６の関係を、
ｆｎ≒３n-1 ・ｆ１  （但し、ｎ＝１〜６）
に設定して構成した。
【００２４】
第９の発明は、７つの通過帯域を順次巡回的に切り替えて該各通過帯域の周波数信号を時分割的に出力するスイッチドキャパシタ型のバンドパスフィルタ回路と、該バンドパスフィルタ回路の各通過帯域の周波数信号のピーク値を検出して順次巡回的に保持するピークホールド回路とを有する信号スペクトラム計測装置において、前記バンドパスフィルタ回路と前記ピークホールド回路の組を同一回路定数の構成で２組設けて、前記両バンドパスフィルタ回路に同一の信号を入力させ、一方のバンドパスフィルタ回路の動作クロックの周波数を他方のバンドパスフィルタ回路の動作クロックの周波数の約２／３倍とし、前記両ピークホールド回路から得られる信号をスペクトラム信号とするよう構成した。
【００２５】
第１０の発明は、第９の発明において、前記他方のバンドパスフィルタ回路の順次巡回的に切り替える７つの通過周波数をｆ１〜ｆ７とするとき、その周波数ｆ１〜ｆ７の関係を、
ｆｎ≒（５／２）n-1 ・ｆ１  （但し、ｎ＝１〜７）
に設定するよう構成した。
【００２６】
【発明の実施の形態】
［第１の実施の形態］
まず、前述の図２２に示したようなスイッチドキャパシタ型のバンドパスフィルタ回路１では、動作クロックφ１、φ２の周波数ｆｃを変化させると、そこで選択される通過周波数がそのクロック周波数ｆｃに比例して変化する。また、演算増幅器ＯＰ１、ＯＰ２に接続される帰還コンデンサの容量値を一定としたとき、そのクロック周波数ｆｃが例えば１／２になれば、通過周波数も同様に１／２となる。本実施の形態はこれを利用するものである。
【００２７】
図１はその第１の実施の形態の信号スペクトラム計測装置の構成を示す図である。１１Ａは周波数の切替数が３（つまり図２２におけるスイッチ信号がＭ１〜Ｍ３）のスイッチドキャパシタ型のバンドパスフィルタ回路、１２Ａはピークホールド回路（図２３に示したものと同じ構成）であり、これらによって第１の計測回路１０Ａが構成されている。また、１１Ｂは同様に周波数の切替数が３（スイッチ信号がＭ１’〜Ｍ３’）で且つ前記したバンドパスフィルタ回路１１Ａと同一構成で同一回路定数のスイッチドキャパシタ型のバンドパスフィルタ回路、１２Ｂは前記したピークホールド回路１２Ａと同一構成で同一回路定数のピークホールド回路であり、これらによって第２の計測回路１０Ｂが構成されている。そして、これら両計測回路１０Ａ、１０Ｂには同一の音声信号が入力し、出力信号は制御部１３に出力する。この制御部１３から出力する表示用信号が表示ドライバ（図示せず）を介して６個の周波数スペクトラム用の液晶表示装置（図示せず）で表示される。
【００２８】
そして、バンドパスフィルタ回路１１Ａに対するスイッチ信号Ｍ１〜Ｍ３とバンドパスフィルタ回路１１Ｂに対するスイッチ信号Ｍ１’〜Ｍ３’は、図２に示すような位相関係（同一にならないタイミング関係）にある。またバンドパスフィルタ回路１１Ａの動作クロックφ１、φ２の周波数はｆｃ、バンドパスフィルタ回路１１Ｂの動作クロックφ１’、φ２’の周波数は０．３ｆｃである。さらにピークホールド回路１２Ａのリセット信号ＲＳＴとピークホールド回路１２Ｂのリセット信号ＲＳＴ’は、図２に示すようにずれた位相関係にある。
【００２９】
この実施の形態では、各計測装置１０Ａ、１０Ｂにおける通過周波数の数を３として、第１の計測装置１０Ａでは、スイッチ信号Ｍ１で周波数ｆ１が、スイッチ信号Ｍ２で周波数ｆ２が、スイッチ信号Ｍ３で周波数ｆ３が、各々設定されるようにして、これらの周波数ｆ１〜ｆ３を、
ｆｎ  ≒  １０n-1 ・ｆ１  （但し、ｎ＝１〜３）        ・・・（２）
となるよう設定する。
【００３０】
第２の計測装置１０Ｂでは、スイッチ信号Ｍ１’で周波数ｆ１’が、スイッチ信号Ｍ２’で周波数ｆ２’が、スイッチ信号Ｍ３’で周波数ｆ３’が、各々設定されるようにする。
【００３１】
ここで、前記したように、バンドパスフィルタ回路１１Ａの動作クロックφ１、φ２の周波数ｆｃに対して、バンドパスフィルタ回路１１Ｂの動作クロックφ１’、φ２’の周波数が０．３ｆｃであるので、スイッチ信号Ｍｎで設定したバンドパスフィルタ回路１１Ａの通過周波数ｆｎと、スイッチ信号Ｍｎ’で設定したバンドパスフィルタ回路１１Ｂの通過周波数ｆｎ’とは、次のような関係にある。
ｆｎ’＝０．３ｆｎ  （但し、ｎ＝１〜３）              ・・・（３）
【００３２】
以上から、第１の計測装置１０Ａの通過周波数ｆ１を、ｆ１＝１００Ｈｚに設定すれば、前記した式（２）から、図４に示すように、ｆ２＝１ＫＨｚ、ｆ３＝１０ＫＨｚとなり、これに応じて式（３）から、第２の計測装置１０Ｂの通過周波数はｆ１’＝３０Ｈｚ、ｆ２’＝３００Ｈｚ、ｆ３’＝３ＫＨｚとなる。そして、各通過周波数の関係は、ｆ１’＜ｆ１＜ｆ２’＜ｆ２＜ｆ３’＜ｆ３となり、しかもこれらは周波数軸上にほぼ等間隔（対数）に並ぶようになる。
【００３３】
このように、本実施の形態では、各計測装置１０Ａ、１０Ｂにおいて１サイクルで計測する通過周波数の数を３とし、これを並列的に計測するので、全通過周波数の数が２倍の６となったにも拘らず、図３に示すように、１サイクルの計測時間を３つの通過周波数の計測時間内にほぼ収めることができる。
【００３４】
なお、この第１の実施の形態では、スイッチ信号Ｍ１〜Ｍ３に対するスイッチ信号Ｍ１’〜Ｍ３’の位相、リセット信号ＲＳＴに対するリセット信号ＲＳＴ’の位相を、各々πだけずらせているので、合計計測時間は１．１７Ｔとなるが、共通のスイッチ信号Ｍ１〜Ｍ３、共通のリセット信号ＲＳＴを両計測装置１０Ａ、１０Ｂに与えて、その両計測装置１０Ａ、１０Ｂから同じタイミングで２個のスペクトル信号を出力させるようにすれば、合計計測時間はＴとなる。この場合は、制御部１３において、そのスペクトル信号を時間的に互いにずらせて表示用信号とすれば良い。
【００３５】
以上から、取り込んだ全部の周波数スペクトルデータの表示を、片方のバンドパスフィルタ回路のほぼ１サイクルの計測時間内に行うことができることになるので、その表示が不自然になることを防止することができる。また、１個の通過周波数の計測時間を短縮する必要もないので、特に低域における計測精度が低下することもない。
【００３６】
［第２の実施の形態］
図５は第２の実施の形態の信号スペクトラム計測装置の構成を示す図である。２１Ａは周波数の切替数が４（つまり図２２におけるスイッチ信号がＭ１〜Ｍ４）のスイッチドキャパシタ型のバンドパスフィルタ回路、２２Ａはピークホールド回路（図２３に示したものと同じ構成）であり、これらによって第１の計測回路２０Ａが構成されている。また、２１Ｂは同様に周波数の切替数が４（スイッチ信号がＭ１’〜Ｍ４’）で且つ前記したバンドパスフィルタ回路２１Ａと同一構成で同一回路定数のスイッチドキャパシタ型のバンドパスフィルタ回路、２２Ｂは前記したピークホールド回路２２Ａと同一構成で同一回路定数のピークホールド回路であり、これらによって第２の計測回路２０Ｂが構成されている。そして、これら両計測回路２０Ａ、２０Ｂには同一の音声信号が入力し、出力信号は制御部２３に出力する。この制御部２３から出力する表示用信号が表示ドライバ（図示せず）を介して８個の周波数スペクトラム用の液晶表示装置（図示せず）で表示される。
【００３７】
そして、バンドパスフィルタ回路２１Ａに対するスイッチ信号Ｍ１〜Ｍ４とバンドパスフィルタ回路２１Ｂに対するスイッチ信号Ｍ１’〜Ｍ４’は、図６に示すような位相関係（同一にならないタイミング関係）にある。またバンドパスフィルタ回路２１Ａの動作クロックφ１、φ２の周波数はｆｃ、バンドパスフィルタ回路２１Ｂの動作クロックφ１’、φ２’の周波数は０．４ｆｃである。さらにピークホールド回路２２Ａのリセット信号ＲＳＴとピークホールド回路２２Ｂのリセット信号ＲＳＴ’は、図６に示すようにずれた位相関係にある。
【００３８】
この実施の形態では、各計測装置２０Ａ、２０Ｂにおける通過周波数の数を４として、第１の計測装置２０Ａでは、スイッチ信号Ｍ１で周波数ｆ１が、スイッチ信号Ｍ２で周波数ｆ２が、スイッチ信号Ｍ３で周波数ｆ３が、スイッチ信号Ｍ４で周波数ｆ４が、各々設定されるようにして、これらの周波数ｆ１〜ｆ４を、
ｆｎ  ≒  ５n-1 ・ｆ１  （但し、ｎ＝１〜４）          ・・・（４）
となるよう設定する。
【００３９】
第２の計測装置２０Ｂでは、スイッチ信号Ｍ１’で周波数ｆ１’が、スイッチ信号Ｍ２’で周波数ｆ２’が、スイッチ信号Ｍ３’で周波数ｆ３’が、スイッチ信号Ｍ４’で周波数ｆ４’が、各々設定されるようにする。
【００４０】
ここで、前記したように、バンドパスフィルタ回路２１Ａの動作クロックφ１、φ２の周波数ｆｃに対して、バンドパスフィルタ回路２１Ｂの動作クロックφ１’、φ２’の周波数が０．４ｆｃであるので、スイッチ信号Ｍｎで設定したバンドパスフィルタ回路２１Ａの通過周波数ｆｎと、スイッチ信号Ｍｎ’で設定したバンドパスフィルタ回路２１Ｂの通過周波数ｆｎ’とは、次のような関係にある。
ｆｎ’＝０．４ｆｎ  （但し、ｎ＝１〜４）              ・・・（５）
【００４１】
以上から、第１の計測装置２０Ａの通過周波数ｆ１を、ｆ１＝１００Ｈｚに設定すれば、前記した式（４）から、図８に示すように、ｆ２＝５００Ｈｚ、ｆ３＝２．５ＫＨｚ、ｆ４＝１２．５ＫＨｚとなり、これに応じて式（５）から、第２の計測装置２０Ｂの通過周波数はｆ１’＝４０Ｈｚ、ｆ２’＝２００Ｈｚ、ｆ３’＝１ＫＨｚ、ｆ４’＝５ＫＨｚとなる。そして、各通過周波数の関係は、ｆ１’＜ｆ１＜ｆ２’＜ｆ２＜ｆ３’＜ｆ３＜ｆ４’＜ｆ４となり、しかもこれらは周波数軸上にほぼ等間隔（対数）に並ぶようになる。
【００４２】
このように、本実施の形態では、各計測装置２０Ａ、２０Ｂにおいて１サイクルで計測する通過周波数の数を４とし、これを並列的に計測するので、全通過周波数の数が２倍の８となったにも拘らず、図７に示すように、１サイクルの計測時間を４の通過周波数の計測時間内にほぼ収めることができる。
【００４３】
なお、この第２の実施の形態では、スイッチ信号Ｍ１〜Ｍ４に対するスイッチ信号Ｍ１’〜Ｍ４’の位相、リセット信号ＲＳＴに対するリセット信号ＲＳＴ’の位相を、各々πだけずらせているので、合計計測時間は１．１３Ｔとなるが、共通のスイッチ信号Ｍ１〜Ｍ４、共通のリセット信号ＲＳＴを両計測装置２０Ａ、２０Ｂに与えて、その両計測装置２０Ａ、２０Ｂから同じタイミングで２個のスペクトル信号を出力させるようにすれば、合計計測時間はＴとなる。この場合は、制御部２３において、そのスペクトル信号を時間的に互いにずらせて表示用信号とすれば良い。
【００４４】
以上から、この第２の実施の形態においても、取り込んだ全部の周波数スペクトルデータの表示を、片方のバンドパスフィルタ回路のほぼ１サイクルの計測時間内に行うことができることになるので、その表示が不自然になることを防止することができる。また、１個の通過周波数の計測時間を短縮する必要もないので、特に低域における計測精度が低下することもない。
【００４５】
［第３の実施の形態］
図９は第３の実施の形態の信号スペクトラム計測装置の構成を示す図である。３１Ａは通過周波数の切替数が５（つまり図２２におけるスイッチ信号がＭ１〜Ｍ５）のスイッチドキャパシタ型のバンドパスフィルタ回路、３２Ａはピークホールド回路（図２３に示したものと同じ構成）であり、これらによって第１の計測回路３０Ａが構成されている。また、３１Ｂは同様に通過周波数の切替数が５（スイッチ信号がＭ１’〜Ｍ５’）で且つ前記したバンドパスフィルタ回路３１Ａと同一構成で同一回路定数のスイッチドキャパシタ型のバンドパスフィルタ回路、３２Ｂは前記したピークホールド回路３２Ａと同一構成で同一回路定数のピークホールド回路であり、これらによって第２の計測回路３０Ｂが構成されている。そして、これら両計測回路３０Ａ、３０Ｂには同一の音声信号が入力し、出力信号は制御部３３に出力する。この制御部３３から出力する表示用信号が表示ドライバ（図示せず）を介して１０個の周波数スペクトラム表示用の液晶表示装置（図示せず）で表示される。
【００４６】
そして、バンドパスフィルタ回路３１Ａに対するスイッチ信号Ｍ１〜Ｍ５とバンドパスフィルタ回路３１Ｂに対するスイッチ信号Ｍ１’〜Ｍ５’は、図１０に示すような位相関係（同一にならないタイミング関係）にある。またバンドパスフィルタ回路３１Ａの動作クロックφ１、φ２の周波数はｆｃ、バンドパスフィルタ回路３１Ｂの動作クロックφ１’、φ２’の周波数は０．５ｆｃである。さらにピークホールド回路３２Ａのリセット信号ＲＳＴとピークホールド回路３２Ｂのリセット信号ＲＳＴ’は、図１０に示すようにずれた位相関係にある。
【００４７】
この実施の形態では、各計測装置３０Ａ、３０Ｂにおける通過周波数の数を５として、第１の計測装置３０Ａでは、スイッチ信号Ｍ１で周波数ｆ１が、スイッチ信号Ｍ２で周波数ｆ２が、スイッチ信号Ｍ３で周波数ｆ３が、スイッチ信号Ｍ４で周波数ｆ４が、スイッチ信号Ｍ５で周波数ｆ５が、各々設定されるようにして、これらの周波数ｆ１〜ｆ５を、
ｆｎ  ≒  ４n-1 ・ｆ１  （但し、ｎ＝１〜５）          ・・・（６）
となるよう設定する。
【００４８】
第２の計測装置３０Ｂでは、スイッチ信号Ｍ１’で周波数ｆ１’が、スイッチ信号Ｍ２’で周波数ｆ２’が、スイッチ信号Ｍ３’で周波数ｆ３’が、スイッチ信号Ｍ４’で周波数ｆ４’が、スイッチ信号Ｍ５’で周波数ｆ５’が、各々設定されるようにする。
【００４９】
ここで、前記したように、バンドパスフィルタ回路３１Ａの動作クロックφ１、φ２の周波数ｆｃに対して、バンドパスフィルタ回路３１Ｂの動作クロックφ１’、φ２’の周波数が０．５ｆｃであるので、スイッチ信号Ｍｎで設定したバンドパフスフィルタ回路３１Ａの通過周波数ｆｎと、スイッチ信号Ｍｎ’で設定したバンドパフスフィルタ回路３１Ｂの通過周波数ｆｎ’とは、次のような関係にある。
ｆｎ’＝０．５ｆｎ  （但し、ｎ＝１〜５）              ・・・（７）
【００５０】
以上から、第１の計測装置３０Ａの通過周波数ｆ１を、ｆ１＝６３Ｈｚに設定すれば、前記した式（６）から、図１２に示すように、ｆ２＝２５０Ｈｚ、ｆ３＝１ＫＨｚ、ｆ４＝４ＫＨｚ、ｆ５＝１６ＫＨｚとなり、これに応じて式（７）から、第２の計測装置３０Ｂの通過周波数はｆ１’＝３１．５Ｈｚ、ｆ２’＝１２５Ｈｚ、ｆ３’＝５００Ｈｚ、ｆ４’＝２ＫＨｚ、ｆ５’＝８ＫＨｚとなる。そして、各通過周波数の関係は、ｆ１’＜ｆ１＜ｆ２’＜ｆ２＜ｆ３’＜ｆ３＜ｆ４’＜ｆ４＜ｆ５’＜ｆ５となり、しかもこれらは周波数軸上にほぼ等間隔（対数）に並ぶようになる。
【００５１】
このように、本実施の形態では、各計測装置３０Ａ、３０Ｂにおいて１サイクルで計測する通過周波数の数を５とし、これを並列的に計測するので、全部の通過周波数の数が２倍の１０となったにも拘らず、図１１に示すように、１サイクルの計測時間を５つの通過周波数の計測時間内にほぼ収めることができる。
【００５２】
なお、この第３の実施の形態では、スイッチ信号Ｍ１〜Ｍ５に対するスイッチ信号Ｍ１’〜Ｍ５’の位相、リセット信号ＲＳＴに対するリセット信号ＲＳＴ’の位相を、各々πだけずらせているので、合計計測時間は１．１Ｔとなるが、共通のスイッチ信号Ｍ１〜Ｍ５、共通のリセット信号ＲＳＴを両計測装置３０Ａ、３０Ｂに与えて、その両計測装置３０Ａ、３０Ｂから同じタイミングで２個のスペクトル信号を出力させるようにすれば、合計計測時間はＴとなる。この場合は、制御部３３において、そのスペクトル信号を時間的に互いにずらせて表示用信号とすれば良い。
【００５３】
以上から、この第３の実施の形態においても、取り込んだ全部の周波数スペクトルデータの表示を、片方のバンドパスフィルタ回路のほぼ１サイクルの計測時間内に行うことができることになるので、その表示が不自然になることを防止することができる。また、１個の通過周波数の計測時間を短縮する必要もないので、特に低域における計測精度が低下することもない。
【００５４】
［第４の実施の形態］
図１３は第４の実施の形態の信号スペクトラム計測装置の構成を示す図である。４１Ａは通過周波数の切替数が６（つまり図２２におけるスイッチ信号がＭ１〜Ｍ６）のスイッチドキャパシタ型のバンドパスフィルタ回路、４２Ａはピークホールド回路（図２２に示したものと同じ構成）であり、これらによって第１の計測回路４０Ａが構成されている。また、４１Ｂは同様に通過周波数の切替数が６（スイッチ信号がＭ１’〜Ｍ６’）で且つ前記したバンドパスフィルタ回路４１Ａと同一構成で同一回路定数のスイッチドキャパシタ型のバンドパスフィルタ回路、４２Ｂは前記したピークホールド回路４２Ａと同一構成で同一回路定数のピークホールド回路であり、これらによって第２の計測回路４０Ｂが構成されている。そして、これら両計測回路４０Ａ、４０Ｂには同一の音声信号が入力し、出力信号は制御部４３に出力する。この制御部４３から出力する表示用信号が表示ドライバ（図示せず）を介して１２個の周波数スペクトラム表示用の液晶表示装置（図示せず）で表示される。
【００５５】
そして、バンドパスフィルタ回路４１Ａに対するスイッチ信号Ｍ１〜Ｍ６とバンドパスフィルタ回路４１Ｂに対するスイッチ信号Ｍ１’〜Ｍ６’は、図１４に示すような位相関係（同一にならないタイミング関係）にある。またバンドパスフィルタ回路４１Ａの動作クロックφ１、φ２の周波数はｆｃ、バンドパスフィルタ回路４１Ｂの動作クロックφ１’、φ２’の周波数は０．６ｆｃである。さらにピークホールド回路４２Ａのリセット信号ＲＳＴとピークホールド回路４２Ｂのリセット信号ＲＳＴ’は、図１４に示すようにずれた位相関係にある。
【００５６】
この実施の形態では、各計測装置４０Ａ、４０Ｂにおける通過周波数の数を６として、第１の計測装置４０Ａでは、スイッチ信号Ｍ１で周波数ｆ１が、スイッチ信号Ｍ２で周波数ｆ２が、スイッチ信号Ｍ３で周波数ｆ３が、スイッチ信号Ｍ４で周波数ｆ４が、スイッチ信号Ｍ５で周波数ｆ５が、スイッチ信号Ｍ６で周波数ｆ６が、各々設定されるようにして、これらの周波数ｆ１〜ｆ６を、
ｆｎ  ≒  ３n-1 ・ｆ１  （但し、ｎ＝１〜６）          ・・・（８）
となるよう設定する。
【００５７】
第２の計測装置４０Ｂでは、スイッチ信号Ｍ１’で周波数ｆ１’が、スイッチ信号Ｍ２’で周波数ｆ２’が、スイッチ信号Ｍ３’で周波数ｆ３’が、スイッチ信号Ｍ４’で周波数ｆ４’が、スイッチ信号Ｍ５’で周波数ｆ５’が、スイッチ信号Ｍ６’で周波数ｆ６’が、各々設定されるようにする。
【００５８】
ここで、前記したように、バンドパスフィルタ回路４１Ａの動作クロックφ１、φ２の周波数ｆｃに対して、バンドパスフィルタ回路４１Ｂの動作クロックφ１’、φ２’の周波数が０．６ｆｃであるので、スイッチ信号Ｍｎで設定したバンドパスフィルタ回路４１Ａの通過周波数ｆｎと、スイッチ信号Ｍｎ’で設定したバンドパスフィルタ回路４１Ｂの通過周波数ｆｎ’とは、次のような関係にある。
ｆｎ’＝０．６ｆｎ  （但し、ｎ＝１〜６）              ・・・（９）
【００５９】
以上から、第１の計測装置４０Ａの通過周波数ｆ１を、ｆ１＝６３Ｈｚに設定すれば、前記した式（８）から、図１５に示すように、ｆ２＝１８９Ｈｚ、ｆ３＝５６７Ｈｚ、ｆ４＝１．７ＫＨｚ、ｆ５＝５．１ＫＨｚ、ｆ６＝１６．３ＫＨｚとなり、これに応じて式（９）から、第２の計測装置４０Ｂの通過周波数ｆ１’＝３８Ｈｚ、ｆ２’＝１１３Ｈｚ、ｆ３’＝３４０Ｈｚ、ｆ４’＝１ＫＨｚ、ｆ５’＝３ＫＨｚ、ｆ６’＝１０ＫＨｚとなる。そして、各通過周波数の関係は、ｆ１’＜ｆ１＜ｆ２’＜ｆ２＜ｆ３’＜ｆ３＜ｆ４’＜ｆ４＜ｆ５’＜ｆ５＜ｆ６’＜ｆ６となり、しかもこれらは周波数軸上にほぼ等間隔（対数）に並ぶようになる。
【００６０】
このように、本実施の形態では、各計測装置４０Ａ、４０Ｂにおいて１サイクルで計測する通過周波数の数を６とし、これを並列的に計測するので、全部の通過周波数の数が２倍の１２となったにも拘らず、図１４に示すように、１サイクルの計測時間を６つの通過周波数の計測時間内にほぼ収めることができる。
【００６１】
なお、この第４の実施の形態では、スイッチ信号Ｍ１〜Ｍ６に対するスイッチ信号Ｍ１’〜Ｍ６’の位相、リセット信号ＲＳＴに対するリセット信号ＲＳＴ’の位相を、各々πだけずらせているので、合計計測時間は１．０８Ｔとなるが、共通のスイッチ信号Ｍ１〜Ｍ６、共通のリセット信号ＲＳＴを両計測装置４０Ａ、４０Ｂに与えて、その両計測装置４０Ａ、４０Ｂから同じタイミングで２個のスペクトル信号を出力させるようにすれば、合計計測時間はＴとなる。この場合は、制御部４３において、そのスペクトル信号を時間的に互いにずらせて表示用信号とすれば良い。
【００６２】
以上から、この第４の実施の形態においても、取り込んだ全部の周波数スペクトルデータの表示を、片方のバンドパスフィルタ回路のほぼ１サイクルの計測時間内に行うことができることになるので、その表示が不自然になることを防止することができる。また、１個の通過周波数の計測時間を短縮する必要もないので、特に低域における計測精度が低下することもない。
【００６３】
［第５の実施の形態］
図１７は第５の実施の形態の信号スペクトラム計測装置の構成を示す図である。５１Ａは通過周波数の切替数が７（つまり図２２におけるスイッチ信号がＭ１〜Ｍ７）のスイッチドキャパシタ型のバンドパスフィルタ回路、５２Ａはピークホールド回路（図２３に示したものと同じ構成）であり、これらによって第１の計測回路５０Ａが構成されている。また、５１Ｂは同様に通過周波数の切替数が７（スイッチ信号がＭ１’〜Ｍ７’）で且つ前記したバンドパスフィルタ回路５１Ａと同一構成で同一回路定数のスイッチドキャパシタ型のバンドパスフィルタ回路、５２Ｂは前記したピークホールド回路５２Ａと同一構成で同一回路定数のピークホールド回路であり、これらによって第２の計測回路５０Ｂが構成されている。そして、これら両計測回路５０Ａ、５０Ｂには同一の音声信号が入力し、出力信号は制御部５３に出力する。この制御部５３から出力する表示用信号が表示ドライバ（図示せず）を介して１４個の周波数スペクトラム表示用の液晶表示装置（図示せず）で表示される。
【００６４】
バンドパスフィルタ回路５１Ａに対するスイッチ信号Ｍ１〜Ｍ７とバンドパスフィルタ回路５１Ｂに対するスイッチ信号Ｍ１’〜Ｍ７’は、図１８に示すような位相関係（同一にならないタイミング関係）にある。またバンドパスフィルタ回路５１Ａの動作クロックφ１、φ２の周波数はｆｃ、バンドパスフィルタ回路５１Ｂの動作クロックφ１’、φ２’の周波数は（２／３）ｆｃである。さらにピークホールド回路５２Ａのリセット信号ＲＳＴとピークホールド回路５２Ｂのリセット信号ＲＳＴ’は、図１８に示すようにずれた位相関係にある。
【００６５】
この実施の形態では、各計測装置５０Ａ、５０Ｂにおける通過周波数の数を７として、第１の計測装置５０Ａでは、スイッチ信号Ｍ１で周波数ｆ１が、スイッチ信号Ｍ２で周波数ｆ２が、スイッチ信号Ｍ３で周波数ｆ３が、スイッチ信号Ｍ４で周波数ｆ４が、スイッチ信号Ｍ５で周波数ｆ５が、スイッチ信号Ｍ６で周波数ｆ６が、スイッチ信号Ｍ７で周波数ｆ７が、各々設定されるようにして、これらの帯域ｆ１〜ｆ７を、
ｆｎ  ≒  （２／５）n-1 ・ｆ１  （但し、ｎ＝１〜７）  ・・（１０）
となるよう設定する。
【００６６】
第２の計測装置５０Ｂでは、スイッチ信号Ｍ１’で周波数ｆ１’が、スイッチ信号Ｍ２’で周波数ｆ２’が、スイッチ信号Ｍ３’で周波数ｆ３’が、スイッチ信号Ｍ４’で周波数ｆ４’が、スイッチ信号Ｍ５’で周波数ｆ５’が、スイッチ信号Ｍ６’で周波数ｆ６’が、スイッチ信号Ｍ７’で周波数ｆ７’が、各々設定されるようにする。
【００６７】
ここで、前記したように、バンドパスフィルタ回路５１Ａの動作クロックφ１、φ２の周波数ｆｃに対して、バンドパスフィルタ回路５１Ｂの動作クロックφ１’、φ２’の周波数が（２／３）ｆｃであるので、スイッチ信号Ｍｎで設定したバンドパスフィルタ回路５１Ａの通過周波数ｆｎと、スイッチ信号Ｍｎ’で設定したバンドパスフィルタ回路５１Ｂの通過周波数ｆｎ’とは、次のような関係にある。
ｆｎ’＝（２／３）ｆｎ  （但し、ｎ＝１〜７）          ・・（１１）
【００６８】
以上から、第１の計測装置５０Ａの通過周波数ｆ１を、ｆ１＝６３Ｈｚに設定すれば、前記した式（１０）から、図２０に示すように、ｆ２＝１６０Ｈｚ、ｆ３＝４００Ｈｚ、ｆ４＝１ＫＨｚ、ｆ５＝２・５ＫＨｚ、ｆ６＝６．３ＫＨｚ、ｆ７＝１６ＫＨｚとなり、これに応じて式（１１）から、第２の計測装置５０Ｂの通過周波数はｆ１’＝４２Ｈｚ、ｆ２’＝１０５Ｈｚ、ｆ３’＝２７０Ｈｚ、ｆ４’＝６７０Ｈｚ、ｆ５’＝１．６５ＫＨｚ、ｆ６’＝４．２ＫＨｚ、ｆ７’＝１０．７ＫＨｚとなる。そして、各通過周波数の関係は、ｆ１’＜ｆ１＜ｆ２’＜ｆ２＜ｆ３’＜ｆ３＜ｆ４’＜ｆ４＜ｆ５’＜ｆ５＜ｆ６’＜ｆ６＜ｆ７’＜ｆ７となり、しかもこれらは周波数軸上にほぼ等間隔（対数）に並ぶようになる。
【００６９】
このように、本実施の形態では、各計測装置５０Ａ、５０Ｂにおいて１サイクルで計測する通過周波数の数を７とし、これを並列的に計測するので、全部の通過周波数の数が２倍の１４となったにも拘らず、図１９に示すように、１サイクルの計測時間を７つの通過周波数の計測時間内にほぼ収めることができる。
【００７０】
なお、この第５の実施の形態では、スイッチ信号Ｍ１〜Ｍ７に対するスイッチ信号Ｍ１’〜Ｍ７’の位相、リセット信号ＲＳＴに対するリセット信号ＲＳＴ’の位相を、各々πだけずらせているので、合計計測時間は１．０７Ｔとなるが、共通のスイッチ信号Ｍ１〜Ｍ７、共通のリセット信号ＲＳＴを両計測装置５０Ａ、５０Ｂに与えて、その両計測装置５０Ａ、５０Ｂから同じタイミングで２個のスペクトル信号を出力させるようにすれば、合計計測時間はＴとなる。この場合は、制御部５３において、そのスペクトル信号を時間的に互いにずらせて表示用信号とすれば良い。
【００７１】
以上から、この第５の実施の形態においても、取り込んだ全部の周波数スペクトルデータの表示を、片方のバンドパスフィルタ回路のほぼ１サイクルの計測時間内に行うことができることになるので、その表示が不自然になることを防止することができる。また、１個の通過周波数の計測時間を短縮する必要もないので、特に低域における計測精度が低下することもない。
【００７２】
［その他の実施の形態］
なお、以上の第１〜第５の実施の形態では、それぞれ１種類の周波数設定について説明したが、最初に決める周波数ｆ１をもう少し高く設定すれば、全部の通過周波数が高い周波数の側にシフトし、低く設定すれば低い周波数の側にシフトするようになるので、この周波数ｆ１を適宜設定することにより、複数の通過周波数の配分のバランスをとることができる。
【００７３】
また、バンドパスフィルタ回路とピークホールド回路の組を２組構成するとき、一方の組をマスタ、他方の組をスレーブとして、マスタ側にスイッチ信号、リセット信号、動作クロック等を発生する回路を設け、スレーブ側にマスタ側から同一あるいは位相ずらせたスイッチ信号やリセット信号を供給し、また周波数を調整した動作クロックを供給するように構成することもできる。
【００７４】
【発明の効果】
以上から本発明によれば、多数の通過周波数信号のスペクトラムデータを短い時間で得ることでき、これを表示させるときその表示を自然なものにすることができる。またこのとき低域の通過周波数の計測精度が低下することもない。
【図面の簡単な説明】
【図１】  本発明の第１の実施の形態のスペクトラム計測装置の構成を示すブロック図である。
【図２】  同実施の形態のスペクトラム計測装置のスイッチ信号とリセット信号の波形図である。
【図３】  同実施の形態のスペクトラム計測装置の逐次切替周波数の振り分けの説明図である。
【図４】  同実施の形態のスペクトラム計測装置のスペクトラム周波数の振り分けの説明図である。
【図５】  本発明の第２の実施の形態のスペクトラム計測装置の構成を示すブロック図である。
【図６】  同実施の形態のスペクトラム計測装置のスイッチ信号とリセット信号の波形図である。
【図７】  同実施の形態のスペクトラム計測装置の逐次切替周波数の振り分けの説明図である。
【図８】  同実施の形態のスペクトラム計測装置のスペクトラム周波数の振り分けの説明図である。
【図９】  本発明の第３の実施の形態のスペクトラム計測装置の構成を示すブロック図である。
【図１０】  同実施の形態のスペクトラム計測装置のスイッチ信号とリセット信号の波形図である。
【図１１】  同実施の形態のスペクトラム計測装置の逐次切替周波数の振り分けの説明図である。
【図１２】  同実施の形態のスペクトラム計測装置のスペクトラム周波数の振り分けの説明図である。
【図１３】  本発明の第４の実施の形態のスペクトラム計測装置の構成を示すブロック図である。
【図１４】  同実施の形態のスペクトラム計測装置のスイッチ信号とリセット信号の波形図である。
【図１５】  同実施の形態のスペクトラム計測装置の逐次切替周波数の振り分けの説明図である。
【図１６】  同実施の形態のスペクトラム計測装置のスペクトラム周波数の振り分けの説明図である。
【図１７】  本発明の第５の実施の形態のスペクトラム計測装置の構成を示すブロック図である。
【図１８】  同実施の形態のスペクトラム計測装置のスイッチ信号とリセット信号の波形図である。
【図１９】  同実施の形態のスペクトラム計測装置の逐次切替周波数の振り分けの説明図である。
【図２０】  同実施の形態のスペクトラム計測装置のスペクトラム周波数の振り分けの説明図である。
【図２１】  従来のスペクトラム計測装置の構成を示すブロック図である。
【図２２】  スイッチドキャパシタ型のバンドパスフィルタ回路の回路図である。
【図２３】  ピークホールド回路の回路図である。
【図２４】  制御部の構成を示すブロック図である。
【図２５】  動作クロックの波形図である。
【図２６】  従来のスペクトラム計測装置のスイッチ信号とリセット信号の波形図である。
【図２７】  従来のスペクトラム計測装置の切替周波数の説明図である。
【図１】
0003636264.tif 000002
【図２】
0003636264.tif 000003
【図３】
0003636264.tif 000004
【図４】
0003636264.tif 000005
【図５】
0003636264.tif 000006
【図６】
0003636264.tif 000007
【図７】
0003636264.tif 000008
【図８】
0003636264.tif 000009
【図９】
0003636264.tif 000010
【図１０】
0003636264.tif 000011
【図１１】
0003636264.tif 000012
【図１２】
0003636264.tif 000013
【図１３】
0003636264.tif 000014
【図１４】
0003636264.tif 000015
【図１５】
0003636264.tif 000016
【図１６】
0003636264.tif 000017
【図１７】
0003636264.tif 000018
【図１８】
0003636264.tif 000019
【図１９】
0003636264.tif 000020
【図２０】
0003636264.tif 000021
【図２１】
0003636264.tif 000022
【図２２】
0003636264.tif 000023
【図２３】
0003636264.tif 000024
【図２４】
0003636264.tif 000025
【図２５】
0003636264.tif 000026
【図２６】
0003636264.tif 000027
【図２７】
0003636264.tif 000028